(57)【要約】      （修正有）【課題】妊産婦モデルの四つん這い位状態を維持するための補助者が必要ではない固定台、及び固定台を含む分娩介助モデルセットを提供する。【解決手段】妊産婦モデル固定台は、底板と、底板の両側面に設置している又は底板の上面の両側面側上に設置している妊産婦モデルを支持する支持アームと、を含み、両支持アームの両内側にはレールが形成され、レールが妊産婦モデルを固定する。分娩介助モデルセットは、妊産婦モデル固定台及び下半身の妊産婦モデルを含む。【選択図】図２
0003227994.tif 000002
【実用新案登録請求の範囲】
【請求項１】
妊産婦モデル固定台であって、
底板と、及び
該底板の両側面に設置している又は該底板の上面の両側面側上に設置している妊産婦モデルを支持する支持アームと、
を含み、
ここで、該両支持アームの両内側はレールを形成しており、該レールは該妊産婦モデルを固定することを特徴とする、妊産婦モデル固定台。
【請求項２】
請求項１に記載の妊産婦モデル固定台及び下半身の妊産婦モデルを含む分娩介助モデルセット。
【考案の詳細な説明】
【技術分野】
【０００１】
本考案は、妊産婦モデル固定台及び該固定台を含む分娩介助モデルセットに関する。
【背景技術】
【０００２】
各種企業が、分娩介助モデルセットを製造販売している。これらの分娩介助モデルセットでは、訓練者が側臥位又は四つん這い位状態の妊産婦モデルで練習する場合には、該妊産婦モデルの側臥位又は四つん這い位状態を維持するための補助者が必要であった。
また、該補助者が必要でない分娩介助モデルセットでは、妊産婦モデルは、下半身モデルではなく、全身モデルが必要であった（参照：図１）。そのため、補助者が必要でない分娩介助モデルセットでは、妊産婦モデルの形状を全身モデルにする必要があった。
【０００３】
妊産婦全身モデルは、特許文献１等により開示されている。
【先行技術文献】
【特許文献】
【０００４】
【特許文献１】特開２０００−３１５０４５号公報
【考案の概要】
【考案が解決しようとする課題】
【０００５】
妊産婦モデルの四つん這い位状態を維持するための補助者が必要ではない固定台、及び該固定台を含む分娩介助モデルセットを提供する。
【課題を解決するための手段】
【０００６】
本考案者らは、前記課題を解決するため鋭意検討した結果、底板、該底板の両側面に設置している又は該底板の上面の両側面側上に設置している妊産婦モデルを支持する支持アーム、両支持アームの両内側で形成されるレールを含む妊産婦モデル固定台が、上記課題を解決できることを見出し、本考案を完成した。
【０００７】
すなわち、本考案は、以下の通りである。
１．妊産婦モデル固定台であって、
底板と、及び
該底板の両側面に設置している又は該底板の上面の両側面側上に設置している妊産婦モデルを支持する支持アームと、
を含み、
ここで、該両支持アームの両内側はレールを形成しており、該レールは該妊産婦モデルを固定することを特徴とする、妊産婦モデル固定台。
２．前項１に記載の妊産婦モデル固定台及び下半身の妊産婦モデルを含む分娩介助モデルセット。
【考案の効果】
【０００８】
本考案の妊産婦モデル固定台は、訓練者が、補助者なしで、四つん這い位状態の妊産婦モデルで練習することを提供でき、さらに、練習中の妊産婦モデルが倒れない構造である。
【図面の簡単な説明】
【０００９】
【図１】（A）四つん這い位状態の全身モデル１０。（B）側臥位状態の全身モデル１０。
【図２】妊産婦モデル固定台１の実例。
【図３】（A）妊産婦モデル固定台１の前面図（正面図）。（B）妊産婦モデル固定台１の側面図。（C）妊産婦モデル固定台１の上面図。
【図４】（A）訓練者が側臥位状態の下半身モデル（２０）を使用して訓練している例。（B）訓練者が四つん這い位状態の下半身モデル（２０）を使用して訓練している例。
【考案を実施するための形態】
【００１０】
本明細書において、「上面」方向とは、支持アーム３が伸長している方向を意味する（参照：図３、矢印Ａ）。「前面」方向とは、底板２が伸長している方向を意味する（参照：図３、矢印B）。
「背面」方向とは、「上面」方向の逆方向を意味する。「後面」方向とは、「前面」方向の逆方向を意味する。
本明細書において、「aをb上に設置した」とは、aをbの上に直接又は間接的に設置することを意味する。すなわち、aとbの間にはなんらかの部材があっても良い。
本考案の妊産婦モデル固定台１及び分娩介助モデルセット１００を以下で説明する。
【００１１】
（妊産婦モデル固定台１）
本考案の妊産婦モデル固定台１は、少なくとも、底板２と、底板２の両側面に設置している又は底板２の上面の両側面側上に設置（立設）している妊産婦モデル１０（２０）を支持する支持アーム３を含む。また、両支持アーム３の両内側５はレール４を形成しており、レール４は妊産婦モデル２０を固定することができる。
加えて、支持アーム３の伸長方向（矢印A）と底板２の伸長方向（矢印B）で成す角度Cが、85〜95°、好ましくは約90°とすることにより、練習中の妊産婦モデルが倒れない構造となる。
【００１２】
（底板２）
底板２（参照：図２、３）の材質は特に限定されないが、軽量化及び妊産婦モデル１０（２０）の保護を考慮して、ポリエチレンフォーム（参照：図２）で形成されていることが好ましい。
【００１３】
（支持アーム３）
支持アーム３（参照：図２、３）の材質は、妊産婦モデルを支持することができれば特に限定されないが、軽量化及び妊産婦モデル２０の保護を考慮して、ポリエチレンフォーム（参照：図２）で形成されていることが好ましい。
支持アーム３は、上面方向（矢印A）に伸長していれば特に構造は限定されないが、底板２の互いに向かい合う両側面に設置（立設）されている又は底板２の上面の両側面側に設置（立設）されている。
【００１４】
（レール４）
レール４（参照：図２、３）の形状は、両支持アーム３により妊産婦モデル１０（２０）を固定できれば特に限定されないが、両支持アーム３の両内側５で形成されている。レール４は、好ましくは、両支持アーム３の両内側５が両外側６と比較して、上面方向の伸びが小さく、内側５と外側６により段差７を形成する（参照：図３）。
【００１５】
（分娩介助モデルセット１００）
本考案の分娩介助モデルセット１００は、少なくとも、本考案の妊産婦モデル固定台１及び下半身を有する妊産婦モデル（下半身モデル）（２０）を含む。下半身モデル（２０）とは、分娩介助の訓練に必要な部位である、外陰部、子宮、胎盤等を備えていることを意味する（参照：KOKEN教員用医療モデル総合カタログ２０１９の「助産演習モデルセット」）。全身を有する妊産婦モデル（全身モデル）（１０）は、特許文献１等を参照することができる。
【００１６】
本考案の妊産婦モデル固定台１を含む本考案の分娩介助モデルセットでは、図４（B）に記載のように、下半身モデル（２０）をレール（４）に設置することにより、訓練者が、補助者なしで、四つん這い位状態の下半身モデル（２０）で訓練できる。
また、本考案の妊産婦モデル固定台１を含む本考案の分娩介助モデルセットの別の使用態様として、図４（A）に記載のように、下半身モデル（２０）を支持アーム（３）に設置することにより、訓練者が、補助者なしで、側臥位状態の下半身モデル（２０）で訓練できる。
【産業上の利用可能性】
【００１７】
訓練者が補助者なしで四つん這い状態の妊産婦モデルで練習することができる妊産婦モデル固定台を提供することができる。
【符号の説明】
【００１８】
妊産婦モデル固定台：１
底板：２
妊産婦モデルを支持する支持アーム：３
レール：４
内側：５
外側：６
段差：７
全身を有する妊産婦モデル：１０
下半身を有する妊産婦モデル：２０
分娩介助モデルセット：１００
矢印A：上面方向を示す
矢印B：前面方向を示す
角度C:支持アーム３と底板２で成す角度
【図１】
0003227994.tif 000003
【図２】
0003227994.tif 000004
【図３】
0003227994.tif 000005
【図４】
0003227994.tif 000006